(57)【要約】【課題】本発明は、音声出力されていない音声出力機器のヘッドフォン端子にヘッドフォンを接続することで、接続したヘッドフォンから音声出力させることができる音声出力システムおよび音声出力方法を提供することを課題とする。【解決手段】ＴＶ受像機１０に、再生された音声信号もしくはアンプ装置３０から入力される音声信号を、スピーカ１７、ヘッドフォン端子１５もしくはアンプ装置３０に出力する音声入力切り換え部１３および音声出力切り換え部１８と、切り換えを制御するＣＥＣ制御部１９とを設けると共に、アンプ装置３０に、ＴＶ受像機１０からの音声信号もしくはＴＶ受像機１０とは異なる再生装置２０からの音声信号を、スピーカ３５、ヘッドフォン端子３４もしくはＴＶ受像機１０に出力する音声入力切り換え部３２および音声出力切り換え部３６と、切り換えを制御するＣＥＣ制御部３７とを設ける。【選択図】        図１
2009027594.tif 000002
【特許請求の範囲】
【請求項１】
音声信号を再生する音声信号再生手段と当該音声信号再生手段によって再生された音声信号を音声出力する第１のスピーカとヘッドフォンが接続される第１のヘッドフォン端子とを備えた第１の音声出力機器と、音声出力する第２のスピーカと前記ヘッドフォンが接続される第２のヘッドフォン端子とを備えた第２の音声出力機器とが接続され、前記第１の音声出力機器に備えられた前記第１のスピーカと前記第２の音声出力機器に備えられた前記第２のスピーカとを切り換えて音声出力する音声出力システムであって、
前記第１の音声出力機器は、前記音声信号再生手段によって再生された音声信号もしくは前記第２の音声出力機器から入力される音声信号を、前記第１のスピーカ、前記第１のヘッドフォン端子もしくは第２の音声出力機器に出力する第１の音声入出力切り換え手段と、
該第１の音声入出力切り換え手段の切り換えを制御する第１の切り換え制御手段とを具備し、
前記第２の音声出力機器は、前記第１の音声出力機器からの音声信号もしくは前記第１の音声出力機器とは異なる外部機器からの音声信号を、前記第２のスピーカ、前記第２のヘッドフォン端子もしくは前記第１の音声出力機器に出力する第２の音声入出力切り換え手段と、
該第２の音声入出力切り換え手段の切り換えを制御する第２の切り換え制御手段とを具備し、
音声出力が行われていない前記第１の音声出力機器もしくは前記第２の音声出力機器にそれぞれ備えられた前記第１のヘッドフォン端子もしくは前記第２のヘッドフォン端子に前記ヘッドフォンが接続されると、前記第１の切り換え制御手段および前記第２の切り換え制御手段は、前記第１の音声入出力切り換え手段および前記第２の音声入出力切り換え手段をそれぞれ制御することで、音声出力が行われている前記第２の音声出力機器もしくは前記第１の音声出力機器からの音声出力を停止させると共に、前記ヘッドフォンが接続された前記第１のヘッドフォン端子もしくは前記第２のヘッドフォン端子に音声信号を出力させることを特徴とする音声出力システム。
【請求項２】
前記外部機器からの音声信号を前記第２の音声出力機器に備えられた前記第２のスピーカから音声出力している状態で、前記第１の音声出力機器に備えられた前記第１のヘッドフォン端子に前記ヘッドフォンが接続されると、前記第２の切り換え制御手段は、前記第２の音声入出力切り換え手段を制御することで、前記外部機器からの音声信号を前記第１の音声出力機器に出力させ、前記第１の切り換え制御手段は、前記第１の音声入出力切り換え手段を制御することで、前記第２の音声出力機器から入力される音声信号を前記第１のヘッドフォン端子に出力させることを特徴とする請求項１記載の音声出力システム。
【請求項３】
前記第１の音声出力機器の前記音声信号再生手段によって再生された音声信号を前記第２の音声出力機器に備えられた前記第２のスピーカから音声出力している状態で、前記第１の音声出力機器に備えられた前記第１のヘッドフォン端子に前記ヘッドフォンが接続されると、前記第１の切り換え制御手段は、前記第１の音声入出力切り換え手段を制御することで、前記音声信号再生手段によって再生された音声信号を前記第１のヘッドフォン端子に出力させることを特徴とする請求項１又は２記載の音声出力システム。
【請求項４】
前記外部機器からの音声信号を前記第１の音声出力機器に備えられた前記第１のスピーカから音声出力している状態で、前記第２の音声出力機器に備えられた前記第２のヘッドフォン端子に前記ヘッドフォンが接続されると、前記第２の切り換え制御手段は、前記第２の音声入出力切り換え手段を制御することで、前記外部機器からの音声信号を前記第２のヘッドフォン端子に出力させることを特徴とする請求項１乃至３記載の音声出力システム。
【請求項５】
前記第１の音声出力機器の前記音声信号再生手段によって再生された音声信号を前記第１の音声出力機器に備えられた前記第１のスピーカから音声出力している状態で、前記第２の音声出力機器に備えられた前記第２のヘッドフォン端子に前記ヘッドフォンが接続されると、前記第１の切り換え制御手段は、前記第１の音声入出力切り換え手段を制御することで、前記音声信号再生手段によって再生された音声信号を前記第２の音声出力機器に出力させ、前記第２の切り換え制御手段は、前記第２の音声入出力切り換え手段を制御することで、前記第１の音声出力機器からの音声信号を前記第２のヘッドフォン端子に出力させることを特徴とする請求項１乃至４記載の音声出力システム。
【請求項６】
音声信号を再生する音声信号再生手段と当該音声信号再生手段によって再生された音声信号を音声出力する第１のスピーカとヘッドフォンが接続される第１のヘッドフォン端子とを備えた第１の音声出力機器と、音声出力する第２のスピーカと前記ヘッドフォンが接続される第２のヘッドフォン端子とを備えた第２の音声出力機器とが接続され、前記第１の音声出力機器に備えられた前記第１のスピーカと前記第２の音声出力機器に備えられた前記第２のスピーカとを切り換えて音声出力する音声出力システムにおける音声出力方法であって、
前記第１の音声出力機器は、前記音声信号再生手段によって再生された音声信号もしくは前記第２の音声出力機器から入力される音声信号を、前記第１のスピーカ、前記第１のヘッドフォン端子もしくは第２の音声出力機器に出力し、
前記第２の音声出力機器は、前記第１の音声出力機器からの音声信号もしくは前記第１の音声出力機器とは異なる外部機器からの音声信号を、前記第２のスピーカ、前記第２のヘッドフォン端子もしくは前記第１の音声出力機器に出力し、
音声出力が行われていない前記第１の音声出力機器もしくは前記第２の音声出力機器にそれぞれ備えられた前記第１のヘッドフォン端子もしくは前記第２のヘッドフォン端子に前記ヘッドフォンが接続されると、音声出力が行われている前記第２の音声出力機器もしくは前記第１の音声出力機器からの音声出力を停止させると共に、前記ヘッドフォンが接続された前記第１のヘッドフォン端子もしくは前記第２のヘッドフォン端子に音声信号を出力させることを特徴とする音声出力方法。
【発明の詳細な説明】
【技術分野】
【０００１】
本発明は、スピーカに音声出力する複数の音声出力機器が接続されてなる音声出力音声出力システムおよび音声出力方法に関し、特にヘッドフォンが接続されるヘッドフォン端子を備えた複数の音声出力機器が接続されてなる音声出力システムおよび音声出力方法に関する。
【背景技術】
【０００２】
近年、ＴＶ受信機や、ＤＶＤレコーダ、ＨＤＤレコーダ等の再生装置に、臨場感のある再生音場の形成が可能なサラウンドオーディオ装置等のアンプ装置を接続した音声出力システムが用いられるようになってきている（例えば、特許文献１、２、３参照）。
【０００３】
また、近年、機器間を接続するインターフェースとして、映像・音声・制御信号を送受信することができるＨＤＭＩ（High-Definition Multimedia Interface）が用いられるようになってきており、ＨＤＭＩを用いて接続することにより、１つの機器のみを操作することで音声出力を行う機器を切り換えることができるようになっている。
【０００４】
しかしながら、従来技術では、ヘッドフォンからの音声出力については、考慮されておらず、ヘッドフォンが接続されるヘッドフォン端子を有する複数の音声出力機器が接続されている場合に、音声出力されていない音声出力機器のヘッドフォン端子にヘッドフォンが接続されても音声出力が行われず、音声出力の切り換えを別操作で行わなければならないというという問題点があった。
【特許文献１】特開２００２−６４９００号公報
【特許文献２】特開２００５−２１７５５９公報
【特許文献３】特開２００２−２４４８４６号公報
【発明の開示】
【発明が解決しようとする課題】
【０００５】
本発明は斯かる問題点に鑑みてなされたものであり、その目的とするところは、音声出力の切り換え操作を行うことなく、音声出力されていない音声出力機器のヘッドフォン端子にヘッドフォンを接続することで、接続したヘッドフォンから音声出力させることができる音声出力システムおよび音声出力方法を提供する点にある。
【課題を解決するための手段】
【０００６】
本発明は上記課題を解決すべく、以下に掲げる構成とした。
本発明の音声出力システムは、音声信号を再生する音声信号再生手段と当該音声信号再生手段によって再生された音声信号を音声出力する第１のスピーカとヘッドフォンが接続される第１のヘッドフォン端子とを備えた第１の音声出力機器と、音声出力する第２のスピーカと前記ヘッドフォンが接続される第２のヘッドフォン端子とを備えた第２の音声出力機器とが接続され、前記第１の音声出力機器に備えられた前記第１のスピーカと前記第２の音声出力機器に備えられた前記第２のスピーカとを切り換えて音声出力する音声出力システムであって、前記第１の音声出力機器は、前記音声信号再生手段によって再生された音声信号もしくは前記第２の音声出力機器から入力される音声信号を、前記第１のスピーカ、前記第１のヘッドフォン端子もしくは第２の音声出力機器に出力する第１の音声入出力切り換え手段と、該第１の音声入出力切り換え手段の切り換えを制御する第１の切り換え制御手段とを具備し、前記第２の音声出力機器は、前記第１の音声出力機器からの音声信号もしくは前記第１の音声出力機器とは異なる外部機器からの音声信号を、前記第２のスピーカ、前記第２のヘッドフォン端子もしくは前記第１の音声出力機器に出力する第２の音声入出力切り換え手段と、該第２の音声入出力切り換え手段の切り換えを制御する第２の切り換え制御手段とを具備し、音声出力が行われていない前記第１の音声出力機器もしくは前記第２の音声出力機器にそれぞれ備えられた前記第１のヘッドフォン端子もしくは前記第２のヘッドフォン端子に前記ヘッドフォンが接続されると、前記第１の切り換え制御手段および前記第２の切り換え制御手段は、前記第１の音声入出力切り換え手段および前記第２の音声入出力切り換え手段をそれぞれ制御することで、音声出力が行われている前記第２の音声出力機器もしくは前記第１の音声出力機器からの音声出力を停止させると共に、前記ヘッドフォンが接続された前記第１のヘッドフォン端子もしくは前記第２のヘッドフォン端子に音声信号を出力させることを特徴とする。
【０００７】
さらに、本発明の音声出力システムは、前記外部機器からの音声信号を前記第２の音声出力機器に備えられた前記第２のスピーカから音声出力している状態で、前記第１の音声出力機器に備えられた前記第１のヘッドフォン端子に前記ヘッドフォンが接続されると、前記第２の切り換え制御手段は、前記第２の音声入出力切り換え手段を制御することで、前記外部機器からの音声信号を前記第１の音声出力機器に出力させ、前記第１の切り換え制御手段は、前記第１の音声入出力切り換え手段を制御することで、前記第２の音声出力機器から入力される音声信号を前記第１のヘッドフォン端子に出力させることを特徴とする。
【０００８】
さらに、本発明の音声出力システムは、前記第１の音声出力機器の前記音声信号再生手段によって再生された音声信号を前記第２の音声出力機器に備えられた前記第２のスピーカから音声出力している状態で、前記第１の音声出力機器に備えられた前記第１のヘッドフォン端子に前記ヘッドフォンが接続されると、前記第１の切り換え制御手段は、前記第１の音声入出力切り換え手段を制御することで、前記音声信号再生手段によって再生された音声信号を前記第１のヘッドフォン端子に出力させることを特徴とする。
【０００９】
さらに、本発明の音声出力システムは、記外部機器からの音声信号を前記第１の音声出力機器に備えられた前記第１のスピーカから音声出力している状態で、前記第２の音声出力機器に備えられた前記第２のヘッドフォン端子に前記ヘッドフォンが接続されると、前記第２の切り換え制御手段は、前記第２の音声入出力切り換え手段を制御することで、前記外部機器からの音声信号を前記第２のヘッドフォン端子に出力させることを特徴とする。
【００１０】
さらに、本発明の音声出力システムは、前記第１の音声出力機器の前記音声信号再生手段によって再生された音声信号を前記第１の音声出力機器に備えられた前記第１のスピーカから音声出力している状態で、前記第２の音声出力機器に備えられた前記第２のヘッドフォン端子に前記ヘッドフォンが接続されると、前記第１の切り換え制御手段は、前記第１の音声入出力切り換え手段を制御することで、前記音声信号再生手段によって再生された音声信号を前記第２の音声出力機器に出力させ、前記第２の切り換え制御手段は、前記第２の音声入出力切り換え手段を制御することで、前記第１の音声出力機器からの音声信号を前記第２のヘッドフォン端子に出力させることを特徴とする。
【００１１】
また、本発明の音声出力方法は、音声信号を再生する音声信号再生手段と当該音声信号再生手段によって再生された音声信号を音声出力する第１のスピーカとヘッドフォンが接続される第１のヘッドフォン端子とを備えた第１の音声出力機器と、音声出力する第２のスピーカと前記ヘッドフォンが接続される第２のヘッドフォン端子とを備えた第２の音声出力機器とが接続され、前記第１の音声出力機器に備えられた前記第１のスピーカと前記第２の音声出力機器に備えられた前記第２のスピーカとを切り換えて音声出力する音声出力システムにおける音声出力方法であって、前記第１の音声出力機器は、前記音声信号再生手段によって再生された音声信号もしくは前記第２の音声出力機器から入力される音声信号を、前記第１のスピーカ、前記第１のヘッドフォン端子もしくは第２の音声出力機器に出力し、前記第２の音声出力機器は、前記第１の音声出力機器からの音声信号もしくは前記第１の音声出力機器とは異なる外部機器からの音声信号を、前記第２のスピーカ、前記第２のヘッドフォン端子もしくは前記第１の音声出力機器に出力し、音声出力が行われていない前記第１の音声出力機器もしくは前記第２の音声出力機器にそれぞれ備えられた前記第１のヘッドフォン端子もしくは前記第２のヘッドフォン端子に前記ヘッドフォンが接続されると、音声出力が行われている前記第２の音声出力機器もしくは前記第１の音声出力機器からの音声出力を停止させると共に、前記ヘッドフォンが接続された前記第１のヘッドフォン端子もしくは前記第２のヘッドフォン端子に音声信号を出力させることを特徴とする。
【発明の効果】
【００１２】
本発明の音声出力システムおよび音声出力方法は、第１の音声出力機器に、音声信号再生手段によって再生された音声信号もしくは第２の音声出力機器から入力される音声信号を、第１のスピーカ、第１のヘッドフォン端子もしくは第２の音声出力機器に出力する第１の音声入出力切り換え手段と、第１の音声入出力切り換え手段の切り換えを制御する第１の切り換え制御手段とを設けると共に、第２の音声出力機器に、第１の音声出力機器からの音声信号もしくは第１の音声出力機器とは異なる外部機器からの音声信号を、第２のスピーカ、第２のヘッドフォン端子もしくは第１の音声出力機器に出力する第２の音声入出力切り換え手段と、第２の音声入出力切り換え手段の切り換えを制御する第２の切り換え制御手段とを設け、音声出力が行われていない第１の音声出力機器もしくは第２の音声出力機器にそれぞれ備えられた第１のヘッドフォン端子もしくは第２のヘッドフォン端子にヘッドフォンが接続されると、第１の切り換え制御手段および第２の切り換え制御手段は、第１の音声入出力切り換え手段および第２の音声入出力切り換え手段をそれぞれ制御することで、音声出力が行われている第２の音声出力機器もしくは第１の音声出力機器からの音声出力を停止させると共に、ヘッドフォンが接続された第１のヘッドフォン端子もしくは第２のヘッドフォン端子に音声信号を出力させるように構成することにより、音声出力されていない音声出力機器のヘッドフォン端子にヘッドフォンを接続すると、音声出力されている音声出力機器の音声出力が停止されると共に、音声出力されていない音声出力機器のヘッドフォン端子から音声出力が行われるように制御されるため、音声出力の切り換え操作を行うことなく、音声出力されていない音声出力機器のヘッドフォン端子にヘッドフォンを接続することで、接続したヘッドフォンから音声出力させることができるという効果を奏する。
【００１３】
さらに、本発明の音声出力システムおよび音声出力方法は、外部機器からの音声信号を第２の音声出力機器に備えられた第２のスピーカから音声出力している状態で、第１の音声出力機器に備えられた第１のヘッドフォン端子にヘッドフォンが接続されると、第２の切り換え制御手段は、第２の音声入出力切り換え手段を制御することで、外部機器からの音声信号を第１の音声出力機器に出力させ、第１の切り換え制御手段は、第１の音声入出力切り換え手段を制御することで、第２の音声出力機器から入力される音声信号を第１のヘッドフォン端子に出力させるように構成することにより、音声出力されていない第１の音声出力機器に備えられた第１のヘッドフォン端子にヘッドフォンを接続すると、音声出力の切り換え操作を行うことなく、音声出力されている第２の音声出力機器の音声出力が停止されると共に、音声出力されていない第１の音声出力機器に備えられた第１のヘッドフォン端子に外部機器からの音声信号が出力され、第１のヘッドフォン端子に接続されたヘッドフォンから音声出力が行われるように制御されるという効果を奏する。
【００１４】
さらに、本発明の音声出力システムおよび音声出力方法は、第１の音声出力機器の音声信号再生手段によって再生された音声信号を第２の音声出力機器に備えられた第２のスピーカから音声出力している状態で、第１の音声出力機器に備えられた第１のヘッドフォン端子にヘッドフォンが接続されると、第１の切り換え制御手段は、第１の音声入出力切り換え手段を制御することで、音声信号再生手段によって再生された音声信号を第１のヘッドフォン端子に出力させるように構成することにより、音声出力されていない第１の音声出力機器に備えられた第１のヘッドフォン端子にヘッドフォンを接続すると、音声出力の切り換え操作を行うことなく、音声出力されている第２の音声出力機器の音声出力が停止されると共に、第１の音声出力機器に備えられた第１のヘッドフォン端子に音声信号再生手段によって再生された音声信号が出力され、第１のヘッドフォン端子に接続されたヘッドフォンから音声出力が行われるように制御されるという効果を奏する。
【００１５】
さらに、本発明の音声出力システムおよび音声出力方法は、外部機器からの音声信号を第１の音声出力機器に備えられた第１のスピーカから音声出力している状態で、第２の音声出力機器に備えられた第２のヘッドフォン端子にヘッドフォンが接続されると、第２の切り換え制御手段は、第２の音声入出力切り換え手段を制御することで、外部機器からの音声信号を第２のヘッドフォン端子に出力させるように構成することにより、音声出力されていない第２の音声出力機器に備えられた第２のヘッドフォン端子にヘッドフォンを接続すると、音声出力の切り換え操作を行うことなく、音声出力されている第１の音声出力機器の音声出力が停止されると共に、音声出力されていない第２の音声出力機器に備えられた第２のヘッドフォン端子に外部機器からの音声信号が出力され、第２のヘッドフォン端子に接続されたヘッドフォンから音声出力が行われるように制御されるという効果を奏する。
【００１６】
さらに、本発明の音声出力システムおよび音声出力方法は、第１の音声出力機器の音声信号再生手段によって再生された音声信号を第１の音声出力機器に備えられた第１のスピーカから音声出力している状態で、第２の音声出力機器に備えられた第２のヘッドフォン端子にヘッドフォンが接続されると、第１の切り換え制御手段は、第１の音声入出力切り換え手段を制御することで、音声信号再生手段によって再生された音声信号を第２の音声出力機器に出力させ、第２の切り換え制御手段は、第２の音声入出力切り換え手段を制御することで、第１の音声出力機器からの音声信号を第２のヘッドフォン端子に出力させるように構成することにより、音声出力されていない第２の音声出力機器に備えられた第２のヘッドフォン端子にヘッドフォンを接続すると、音声出力の切り換え操作を行うことなく、音声出力されている第１の音声出力機器の音声出力が停止されると共に、第２の音声出力機器に備えられた第２のヘッドフォン端子に第１の音声出力機器からの音声信号が出力され、第２のヘッドフォン端子に接続されたヘッドフォンから音声出力が行われるように制御されるという効果を奏する。
【発明を実施するための最良の形態】
【００１７】
以下、本発明の実施の形態を図面に基づいて詳細に説明する。
【００１８】
図１は、本発明に係る音声出力システムの実施の形態の構成を示すブロック図である。
【００１９】
本実施の形態の音声出力システムは、図１を参照すると、ＴＶ受像機１０と、ＤＶＤレコーダ、ＨＤＤレコーダ等の再生装置２０と、ＴＶ受像機１０および再生装置２０にそれぞれ接続されたアンプ装置３０とからなり、ＴＶ受像機１０とアンプ装置３０とは、ＨＤＭＩ（High-Definition Multimedia Interface）ケーブル４０と光音声ケーブル５０とで接続され、再生装置２０とアンプ装置３０とは、ＨＤＭＩケーブル６０で接続されている。
【００２０】
ＴＶ受像機１０は、アンテナ１１によって受信された放送信号を所望の周波数で選局し、音声信号に復調するチューナ１２と、チューナ１２からの音声信号もしくはＨＤＭＩケーブル４０を介してアンプ装置３０から入力される音声信号のいずれかを出力する音声入力切り換え部１３と、音声入力切り換え部１３から出力される音声信号に、チャンネル数を変更するサラウンド処理、音場を変更する音場変更処理、周波数帯域毎にゲインを増減して音質をコントロールするイコライザ処理等の加工を施す音声処理部１４と、ヘッドフォン７０が接続されるヘッドフォン端子１５と、音声信号を光デジタル信号として光音声ケーブル５０を介してアンプ装置３０に送信する光音声送信部１６と、音声処理部１４からの音声信号を接続されたスピーカ１７、ヘッドフォン端子１５もしくは光音声出力部１６のいずれかに出力する音声出力切り換え部１８と、ＨＤＭＩケーブル４０を介してアンプ装置３０との間で制御信号の送受信を行い、音声入力切り換え部１３および音声出力切り換え部１８の切り換え動作を制御するＣＥＣ制御部１９とを備えている。
【００２１】
アンプ装置３０は、光音声ケーブル５０を介してＴＶ受像機１０からの音声信号を受信する音声信号受信部３１と、音声信号受信部３１によって受信した音声信号もしくはＨＤＭＩケーブル６０を介して再生装置２０から入力される音声信号のいずれかを出力する音声入力切り換え部３２と、音声入力切り換え部３２から出力される音声信号に、チャンネル数を変更するサラウンド処理、音場を変更する音場変更処理、周波数帯域毎にゲインを増減して音質をコントロールするイコライザ処理等の加工を施す音声処理部３３と、ヘッドフォン７０が接続されるヘッドフォン端子３４と、音声処理部３３からの音声信号を接続されたスピーカ３５、ヘッドフォン端子１５もしくはＨＤＭＩケーブル４０を介してＴＶ受像機１０のいずれかに出力する音声出力切り換え部３６と、ＨＤＭＩケーブル４０を介してＴＶ受像機１０との間で制御信号の送受信を行い、音声入力切り換え部３２および音声出力切り換え部３６の切り換え動作を制御するＣＥＣ制御部３７とを備えている。
【００２２】
次に、本実施の形態におけるヘッドフォン７０の挿抜に伴う音声出力切り換え動作について図２乃至９を参照して詳細に説明する。
図２は、図１に示す再生装置からの音声信号がアンプ装置から出力されるように設定されている状態で、ＴＶ受像機にヘッドフォンが挿抜された際の音声出力切り換え動作を説明するためのシーケンス図であり、図３は、図１に示す再生装置からの音声信号がアンプ装置から出力されるように設定されている状態で、ＴＶ受像機にヘッドフォンが挿抜された際の音声出力切り換え動作を説明するための説明図であり、図４は、図１に示すＴＶ受像機からの音声信号がアンプ装置から出力されるように設定されている状態で、ＴＶ受像機にヘッドフォンが挿抜された際の音声出力切り換え動作を説明するためのシーケンス図であり、図５は、図１に示すＴＶ受像機からの音声信号がアンプ装置から出力されるように設定されている状態で、ＴＶ受像機にヘッドフォンが挿抜された際の音声出力切り換え動作を説明するための説明図であり、図６は、図１に示す再生装置からの音声信号がＴＶ受像機から出力されるように設定されている状態で、アンプ装置にヘッドフォンが挿抜された際の音声出力切り換え動作を説明するためのシーケンス図であり、図７は、図１に示す再生装置からの音声信号がＴＶ受像機から出力されるように設定されている状態で、アンプ装置にヘッドフォンが挿抜された際の音声出力切り換え動作を説明するための説明図であり、図８は、図１に示すＴＶ受像機からの音声信号がＴＶ受像機から出力されるように設定されている状態で、アンプ装置にヘッドフォンが挿抜された際の音声出力切り換え動作を説明するためのシーケンス図であり、図９は、図１に示すＴＶ受像機からの音声信号がＴＶ受像機から出力されるように設定されている状態で、アンプ装置にヘッドフォンが挿抜された際の音声出力切り換え動作を説明するための説明図である。
【００２３】
本実施の形態の音声出力システムでは、ＴＶ受像機１０もしくはアンプ装置３０の図示しない操作部を操作することにより、ＴＶ受像機１０もしくは再生装置２０からの音声信号を、ＴＶ受像機１０もしくはアンプ装置３０のいずれかから音声出力するように設定することができ、当該音声出力の設定に基づいて、ＴＶ受像機１０のＣＥＣ制御部１９は、音声入力切り換え部１３および音声出力切り換え部１８の切り換え動作を、アンプ装置３０のＣＥＣ制御部１９は、音声入力切り換え部３２および音声出力切り換え部３６の切り換え動作を制御するように構成されている。
【００２４】
まず、図３（ａ）に示すように、再生装置２０からの音声信号Ｓがアンプ装置３０から音声出力されるように設定されている状態、すなわちアンプ装置３０において、音声入力切り換え部３２が再生装置２０からＨＤＭＩケーブル６０経由で入力される音声信号Ｓを音声処理部３３に出力するように設定され、音声出力切り換え部３６が音声処理部３３からの音声信号Ｓを接続されたスピーカ３５に出力するように設定されていると共に、ＴＶ受像機１０において、スピーカ１７からの音声出力が図示しないミュート手段によってミュートされている状態で、ＴＶ受像機１０のヘッドフォン端子１５にヘッドフォン７０が挿抜された際の音声出力切り換え動作について図２および図３を参照して詳細に説明する。
【００２５】
図２を参照すると、図３（ｂ）に示すように、ＴＶ受像機１０のヘッドフォン端子１５にヘッドフォン７０が接続されると、音声出力切り換え部１８は、ヘッドフォン７０の接続を検出し（ステップＡ１）、ヘッドフォン７０の接続をＣＥＣ制御部１９に通知し、ＣＥＣ制御部１９は、ヘッドフォン接続信号ＨをＨＤＭＩケーブル４０経由でアンプ装置３０に送信する（ステップＡ２）。なお、ヘッドフォン接続信号Ｈは、例えばＣＥＣのベンダーコマンドとして送信することができる。
【００２６】
ＨＤＭＩケーブル４０経由でヘッドフォン接続信号Ｈを受信したアンプ装置３０のＣＥＣ制御部３７は、図３（ｃ）に示すように、スピーカ３５からの音声出力を図示しないミュート手段を制御してミュートすると共に（ステップＡ３）、音声出力切り換え部３６を制御して音声処理部３３からの音声信号ＳをＨＤＭＩケーブル４０経由でＴＶ受像機１０に出力させるように切り換え（ステップＡ４）、ミュートと切り換えが完了したことを知らせる完了通知ＭをＨＤＭＩケーブル４０経由でＴＶ受像機１０送信する（ステップＡ５）。なお、完了通知Ｍは、例えばＣＥＣのベンダーコマンドとして送信することができる。
【００２７】
ＨＤＭＩケーブル４０経由で完了通知Ｍを受信したＴＶ受像機１０のＣＥＣ制御部１９は、音声入力切り換え部１３を制御してＨＤＭＩケーブル４０を介してアンプ装置３０から入力される音声信号Ｓを音声処理部１４に出力するように切り換えると共に（ステップＡ６）、音声出力切り換え部１８を制御して音声処理部１４からの音声信号Ｓをヘッドフォン端子１５に出力するように切り換え（ステップＡ７）、図３（ｄ）に示すように、再生装置２０からの音声信号Ｓをヘッドフォン端子１５に接続されたヘッドフォン７０から音声出力させる。これにより、再生装置２０からの音声信号Ｓがアンプ装置３０から音声出力されるように設定されている状態で、音声出力が設定されていないＴＶ受像機１０のヘッドフォン端子１５にヘッドフォン７０を接続するだけで、アンプ装置３０からの音声出力を停止させ、ヘッドフォン７０から音声出力させることができる。なお、完了通知Ｍを受信することによってＣＥＣ制御部１９は、音声入力切り換え部１３および音声出力切り換え部１８の切り換えを制御するように構成したが、ステップＡ２のヘッドフォン接続信号Ｈの送信後、アンプ装置３０においてミュートと切り換えとが完了すると考えられる予め設定された所定時間後に音声入力切り換え部１３および音声出力切り換え部１８の切り換えを制御するようにしても良い。
【００２８】
次に、ＴＶ受像機１０のヘッドフォン端子１５からヘッドフォン７０が取り外されると、音声出力切り換え部１８は、ヘッドフォン７０の取り外しを検出し（ステップＡ８）、ヘッドフォン７０の取り外しをＣＥＣ制御部１９に通知し、ＣＥＣ制御部１９は、図３（ｅ）に示すように、ヘッドフォン取り外し信号Ｈ’をＨＤＭＩケーブル４０経由でアンプ装置３０に送信する（ステップＡ９）。なお、ヘッドフォン取り外し信号Ｈ’は、例えばＣＥＣのベンダーコマンドとして送信することができる。
【００２９】
ＨＤＭＩケーブル４０経由でヘッドフォン取り外し信号を受信したアンプ装置３０のＣＥＣ制御部３７は、音声出力切り換え部３６を制御して接続されているスピーカ３５に音声信号Ｓを出力させるように切り換えると共に（ステップＡ１０）、図示しないミュート手段を制御してミュートを解除させ（ステップＡ１１）、図３（ａ）に示すように、スピーカ３５からの音声出力が設定されている状態に復帰させる。
【００３０】
次に、図５（ａ）に示すように、ＴＶ受像機１０からの音声信号Ｓがアンプ装置３０から音声出力されるように設定されている状態、すなわちアンプ装置３０において、音声入力切り換え部３２がＴＶ受像機１０から光音声ケーブル５０経由で音声信号受信部３１に入力される音声信号Ｓを音声処理部３３に出力するように設定され、音声出力切り換え部３６が音声処理部３３からの音声信号Ｓを接続されたスピーカ３５に出力するように設定されていると共に、ＴＶ受像機１０において、音声入力切り換え部１３がチューナ１２からの音声信号を音声処理部１４に出力するように設定され、音声出力切り換え部１８が音声処理部１４からの音声信号Ｓを光音声送信部１６に出力して光音声ケーブル５０経由でアンプ装置３０に送信するように設定され、スピーカ１７からの音声出力が図示しないミュート手段によってミュートされている状態で、ＴＶ受像機１０のヘッドフォン端子１５にヘッドフォン７０が挿抜された際の音声出力切り換え動作について図４および図５を参照して詳細に説明する。
【００３１】
図４を参照すると、図５（ｂ）に示すように、ＴＶ受像機１０のヘッドフォン端子１５にヘッドフォン７０が接続されると、音声出力切り換え部１８は、ヘッドフォン７０の接続を検出し（ステップＢ１）、ヘッドフォン７０の接続をＣＥＣ制御部１９に通知し、ＣＥＣ制御部１９は、ヘッドフォン接続信号ＨをＨＤＭＩケーブル４０経由でアンプ装置３０に送信する（ステップＢ２）。
【００３２】
ＨＤＭＩケーブル４０経由でヘッドフォン接続信号Ｈを受信したアンプ装置３０のＣＥＣ制御部３７は、図５（ｃ）に示すように、スピーカ３５からの音声出力を図示しないミュート手段を制御してミュートし（ステップＢ３）、ミュートが完了したことを知らせる完了通知ＭをＨＤＭＩケーブル４０経由でＴＶ受像機１０に送信する（ステップＢ４）。
【００３３】
ＨＤＭＩケーブル４０経由で完了通知Ｍを受信したＴＶ受像機１０のＣＥＣ制御部１９は、光音声送信部１６からの光音声出力を停止させると共に（ステップＢ５）、音声出力切り換え部１８を制御して音声処理部１４からの音声信号Ｓをヘッドフォン端子１５に出力するように切り換え（ステップＢ６）、図５（ｄ）に示すように、音声信号Ｓをヘッドフォン端子１５に接続されたヘッドフォン７０から音声出力させる。これにより、ＴＶ受像機１０からの音声信号Ｓがアンプ装置３０から音声出力されるように設定されている状態で、音声出力が設定されていないＴＶ受像機１０のヘッドフォン端子１５にヘッドフォン７０を接続するだけで、アンプ装置３０からの音声出力を停止させ、ヘッドフォン７０から音声出力させることができる。なお、完了通知Ｍを受信することによってＣＥＣ制御部１９は、音声出力切り換え部１８の切り換えを制御するように構成したが、ステップＢ２のヘッドフォン接続信号Ｈの送信後、アンプ装置３０においてミュートが完了すると考えられる予め設定された所定時間後に音声出力切り換え部１８の切り換えを制御するようにしても良い。
【００３４】
次に、ＴＶ受像機１０のヘッドフォン端子１５からヘッドフォン７０が取り外されると、音声出力切り換え部１８は、ヘッドフォン７０の取り外しを検出し（ステップＢ７）、ヘッドフォン７０の取り外しをＣＥＣ制御部１９に通知し、ＣＥＣ制御部１９は、図３（ｅ）に示すように、音声出力切り換え部１８を制御して音声処理部１４からの音声信号Ｓを光音声送信部１６に出力するように切り換え（ステップＢ８）、光音声送信部１６から光音声ケーブル５０経由での光音声出力を開始させると共に（ステップＢ９）、ヘッドフォン取り外し信号Ｈ’をＨＤＭＩケーブル４０経由でアンプ装置３０に送信する（ステップＡ１０）。
【００３５】
ＨＤＭＩケーブル４０経由でヘッドフォン取り外し信号を受信したアンプ装置３０のＣＥＣ制御部３７は、図示しないミュート手段を制御してミュートを解除させ（ステップＢ１１）、図５（ａ）に示すように、スピーカ３５からの音声出力が設定されている状態に復帰させる。
【００３６】
次に、図７（ａ）に示すように、ＴＶ受像機１０のチューナ１２からの音声信号ＳがＴＶ受像機１０から音声出力されるように設定されている状態、すなわちＴＶ受像機１０において、音声入力切り換え部１３がチューナ１２からの音声信号を音声処理部１４に出力するように設定され、音声出力切り換え部１８が音声処理部１４からの音声信号Ｓを接続されたスピーカ３５に出力するように設定されると共に、アンプ装置３０において、スピーカ３５からの音声出力が図示しないミュート手段によってミュートされている状態で、アンプ装置３０のヘッドフォン端子３４にヘッドフォン７０が挿抜された際の音声出力切り換え動作について図６および図７を参照して詳細に説明する。
【００３７】
図６を参照すると、図７（ｂ）に示すように、アンプ装置３０のヘッドフォン端子３４にヘッドフォン７０が接続されると、音声出力切り換え部３６は、ヘッドフォン７０の接続を検出し（ステップＣ１）、ヘッドフォン７０の接続をＣＥＣ制御部３７に通知し、ＣＥＣ制御部３７は、ヘッドフォン接続信号ＨをＨＤＭＩケーブル４０経由でＴＶ受像機１０に送信する（ステップＣ２）。
【００３８】
ＨＤＭＩケーブル４０経由でヘッドフォン接続信号Ｈを受信したＴＶ受像機１０のＣＥＣ制御部１９は、図７（ｃ）に示すように、スピーカ３５からの音声出力を図示しないミュート手段を制御してミュートすると共に（ステップＣ３）、音声出力切り換え部１８を制御して音声処理部１４からの音声信号Ｓを光音声送信部１６に出力するように切り換え（ステップＣ４）、光音声送信部１６から光音声ケーブル５０経由での光音声出力を開始させると共に（ステップＣ５）、ミュートと切り換えが完了したことを知らせる完了通知ＭをＨＤＭＩケーブル４０経由でアンプ装置３０に送信する（ステップＣ６）。
【００３９】
ＨＤＭＩケーブル４０経由で完了通知Ｍを受信したアンプ装置３０のＣＥＣ制御部３７は、音声入力切り換え部３２を制御してＴＶ受像機１０から光音声ケーブル５０経由で音声信号受信部３１に入力される音声信号Ｓを音声処理部３３に出力するように切り換えると共に（ステップＣ７）、音声出力切り換え部３６を制御して音声処理部３３からの音声信号Ｓをヘッドフォン端子３４に出力するように切り換え（ステップＣ８）、図７（ｄ）に示すように、ＴＶ受像機１０からの音声信号Ｓをヘッドフォン端子３４に接続されたヘッドフォン７０から音声出力させる。これにより、ＴＶ受像機１０のチューナ１２からの音声信号ＳがＴＶ受像機１０から音声出力されるように設定されている状態で、音声出力が設定されていないアンプ装置３０のヘッドフォン端子３４にヘッドフォン７０を接続するだけで、ＴＶ受像機１０からの音声出力を停止させ、ヘッドフォン７０から音声出力させることができる。なお、完了通知Ｍを受信することによってＣＥＣ制御部３７は、音声入力切り換え部３２および音声出力切り換え部３６の切り換えを制御するように構成したが、ステップＣ２のヘッドフォン接続信号Ｈの送信後、ＴＶ受像機１０においてミュートと切り換えとが完了すると考えられる予め設定された所定時間後に音声入力切り換え部３２および音声出力切り換え部３６の切り換えを制御するようにしても良い。
【００４０】
次に、アンプ装置３０のヘッドフォン端子３４からヘッドフォン７０が取り外されると、音声出力切り換え部３６は、ヘッドフォン７０の取り外しを検出し（ステップＣ９）、ヘッドフォン７０の取り外しをＣＥＣ制御部３７に通知し、ＣＥＣ制御部３７は、図７（ｅ）に示すように、ヘッドフォン取り外し信号Ｈ’をＨＤＭＩケーブル４０経由でＴＶ受像機１０に送信する（ステップＣ１０）。
【００４１】
ＨＤＭＩケーブル４０経由でヘッドフォン取り外し信号を受信したＴＶ受像機１０のＣＥＣ制御部１９は、光音声送信部１６から光音声ケーブル５０経由での光音声出力を停止させ、（ステップＣ１１）音声出力切り換え部１８を制御して接続されているスピーカ１７に音声信号Ｓを出力させるように切り換えと共に（ステップＣ１２）、図示しないミュート手段を制御してミュートを解除させ（ステップＣ１３）、図７（ａ）に示すように、スピーカ１７からの音声出力が設定されている状態に復帰させる。
【００４２】
次に、図９（ａ）に示すように、再生装置２０からの音声信号ＳがＴＶ受像機１０から音声出力されるように設定されている状態、すなわちアンプ装置３０において、音声入力切り換え部３２が再生装置２０からＨＤＭＩケーブル６０経由で入力される音声信号Ｓを音声処理部３３に出力するように設定され、音声出力切り換え部３６がＨＤＭＩケーブル４０を介してＴＶ受像機１０に音声信号Ｓを出力するように設定され、スピーカ３５からの音声出力が図示しないミュート手段によってミュートされていると共に、ＴＶ受像機１０において、音声入力切り換え部１３がＨＤＭＩケーブル４０経由で入力される音声信号Ｓを音声処理部１４に出力するように設定され、音声出力切り換え部１８が音声処理部１４からの音声信号Ｓを接続されたスピーカ３５に出力するように設定されている状態で、アンプ装置３０のヘッドフォン端子３４にヘッドフォン７０が挿抜された際の音声出力切り換え動作について図８および図９を参照して詳細に説明する。
【００４３】
図８を参照すると、図９（ｂ）に示すように、アンプ装置３０のヘッドフォン端子３４にヘッドフォン７０が接続されると、音声出力切り換え部３６は、ヘッドフォン７０の接続を検出し（ステップＤ１）、ヘッドフォン７０の接続をＣＥＣ制御部３７に通知し、ＣＥＣ制御部３７は、ヘッドフォン接続信号ＨをＨＤＭＩケーブル４０経由でＴＶ受像機１０に送信する（ステップＤ２）。
【００４４】
ＨＤＭＩケーブル４０経由でヘッドフォン接続信号Ｈを受信したＴＶ受像機１０のＣＥＣ制御部１９は、図９（ｃ）に示すように、スピーカ３５からの音声出力を図示しないミュート手段を制御してミュートすると共に（ステップＤ３）、ミュートが完了したことを知らせる完了通知ＭをＨＤＭＩケーブル４０経由でアンプ装置３０に送信する（ステップＤ４）。
【００４５】
ＨＤＭＩケーブル４０経由で完了通知Ｍを受信したアンプ装置３０のＣＥＣ制御部３７は、音声出力切り換え部３６を制御して音声処理部３３からの音声信号Ｓをヘッドフォン端子３４に出力するように切り換え（ステップＤ５）、図９（ｄ）に示すように、再生装置２０からの音声信号Ｓをヘッドフォン端子３４に接続されたヘッドフォン７０から音声出力させる。これにより、再生装置２０からの音声信号ＳがＴＶ受像機１０から音声出力されるように設定されている状態で、音声出力が設定されていないアンプ装置３０のヘッドフォン端子３４にヘッドフォン７０を接続するだけで、ＴＶ受像機１０からの音声出力を停止させ、ヘッドフォン７０から音声出力させることができる。なお、完了通知Ｍを受信することによってＣＥＣ制御部３７は、音声出力切り換え部３６の切り換えを制御するように構成したが、ステップＣ２のヘッドフォン接続信号Ｈの送信後、ＴＶ受像機１０においてミュートが完了すると考えられる予め設定された所定時間後に音声出力切り換え部３６の切り換えを制御するようにしても良い。
【００４６】
次に、アンプ装置３０のヘッドフォン端子３４からヘッドフォン７０が取り外されると、音声出力切り換え部３６は、ヘッドフォン７０の取り外しを検出し（ステップＤ６）、ヘッドフォン７０の取り外しをＣＥＣ制御部３７に通知し、ＣＥＣ制御部３７は、図７（ｅ）に示すように、音声出力切り換え部３６を制御して音声処理部３３からの音声信号ＳをＨＤＭＩケーブル４０経由でＴＶ受像機１０に出力させるように切り換えると共に（ステップＤ７）、ヘッドフォン取り外し信号Ｈ’をＨＤＭＩケーブル４０経由でＴＶ受像機１０に送信する（ステップＤ８）。
【００４７】
ＨＤＭＩケーブル４０経由でヘッドフォン取り外し信号を受信したＴＶ受像機１０のＣＥＣ制御部１９は、図示しないミュート手段を制御してミュートを解除させ（ステップＤ９）、図９（ａ）に示すように、スピーカ１７からの音声出力が設定されている状態に復帰させる。
【００４８】
次に、ＴＶ受像機１０のヘッドフォン端子１５とアンプ装置３０のヘッドフォン端子３４とのいずれにもヘッドフォン７０が接続された際の音声出力切り換え動作について図１０乃至図１２を参照して詳細に説明する。
図１０は、図１に示すＴＶ受像機に接続されたヘッドフォンから音声出力されている状態で、アンプ装置にヘッドフォンが接続された際の音声出力切り換え動作を説明するための説明図であり、図１１は、図１に示すアンプ装置に接続されたヘッドフォンから音声出力されている状態で、ＴＶ受像機にヘッドフォンが接続された際の音声出力切り換え動作を説明するための説明図である。
【００４９】
上述の説明では、ＴＶ受像機１０もしくはアンプ装置３０のいずれか一方から音声出力するシステムであることを前提に説明したが、ＴＶ受像機１０およびアンプ装置３０のいずれからも音声出力することができるシステムである場合には、ＴＶ受像機１０のヘッドフォン端子１５に接続されたヘッドフォン７０からの音声出力と、アンプ装置３０のヘッドフォン端子３４に接続されたヘッドフォン７０からの音声出力とを同時に行うように構成すると、追加投資なしで複数人によるヘッドフォン７０での同時聴取が可能になる。
【００５０】
図３（ｄ）に示すように、再生装置２０からの音声信号ＳがＴＶ受像機１０のヘッドフォン端子１５に接続されたヘッドフォン７０から音声出力されている状態で、図１０（ａ）に示すように、アンプ装置３０のヘッドフォン端子３４にヘッドフォン７０が接続された場合には、音声出力切り換え部３６は、ヘッドフォン７０の接続を検出することで、音声処理部３３からの音声信号Ｓをヘッドフォン端子３４にも出力させるように切り換え、図１０（ｂ）に示すように、ヘッドフォン端子３４に接続されたヘッドフォン７０からも音声出力させる。
【００５１】
また、図５（ｄ）に示すように、チューナ１２からの音声信号ＳがＴＶ受像機１０のヘッドフォン端子１５に接続されたヘッドフォン７０から音声出力されている状態で、図１０（ｃ）に示すように、アンプ装置３０のヘッドフォン端子３４にヘッドフォン７０が接続された場合には、音声出力切り換え部１８は、ヘッドフォン７０の接続をＣＥＣ制御部３７に通知し、ＣＥＣ制御部３７は、ヘッドフォン接続信号ＨをＨＤＭＩケーブル４０経由でＴＶ受像機１０に送信する。
【００５２】
ＨＤＭＩケーブル４０経由でヘッドフォン接続信号Ｈを受信したＴＶ受像機１０のＣＥＣ制御部１９は、図１０（ｄ）に示すように、音声出力切り換え部１８を制御して音声処理部１４からの音声信号Ｓを光音声送信部１６にも出力するように切り換え、光音声送信部１６から光音声ケーブル５０経由での光音声出力を開始させると共に、切り換えが完了したことを知らせる完了通知ＭをＨＤＭＩケーブル４０経由でアンプ装置３０に送信する。
【００５３】
ＨＤＭＩケーブル４０経由で完了通知Ｍを受信したアンプ装置３０のＣＥＣ制御部３７は、音声入力切り換え部３２を制御してＴＶ受像機１０から光音声ケーブル５０経由で音声信号受信部３１に入力される音声信号Ｓを音声処理部３３に出力するように切り換えると共に、音声出力切り換え部３６を制御して音声処理部３３からの音声信号Ｓをヘッドフォン端子３４に出力するように切り換え、図１０（ｅ）に示すように、ＴＶ受像機１０からの音声信号Ｓをヘッドフォン端子３４に接続されたヘッドフォン７０からも音声出力させる。
【００５４】
さらに、図７（ｄ）に示すように、ＴＶ受像機１０からの音声信号Ｓがアンプ装置３０のヘッドフォン端子３４に接続されたヘッドフォン７０から音声出力されている状態で、図１１（ａ）に示すように、ＴＶ受像機１０のヘッドフォン端子１５にヘッドフォン７０が接続された場合には、音声出力切り換え部１８は、ヘッドフォン７０の接続を検出することで、音声処理部１４からの音声信号Ｓをヘッドフォン端子３４にも出力させるように切り換え、図１０（ｂ）に示すように、ヘッドフォン端子１５に接続されたヘッドフォン７０からも音声出力させる。
【００５５】
さらに、図９（ｄ）に示すように、再生装置２０からの音声信号Ｓがアンプ装置３０のヘッドフォン端子３４に接続されたヘッドフォン７０から音声出力されている状態で、図１１（ｂ）に示すように、ＴＶ受像機１０のヘッドフォン端子１５にヘッドフォン７０が接続された場合には、音声出力切り換え部１８は、ヘッドフォン７０の接続をＣＥＣ制御部１９に通知し、ＣＥＣ制御部１９は、図１１（ｃ）に示すように、ヘッドフォン接続信号ＨをＨＤＭＩケーブル４０経由でアンプ装置３０に送信する。
【００５６】
ＨＤＭＩケーブル４０経由でヘッドフォン接続信号Ｈを受信したアンプ装置３０のＣＥＣ制御部３７は、図１１（ｄ）に示すように、音声出力切り換え部１８を制御して音声処理部１４からの音声信号ＳをＨＤＭＩケーブル４０経由でＴＶ受像機１０にも出力するように切り換えると共に、切り換えが完了したことを知らせる完了通知ＭをＨＤＭＩケーブル４０経由でＴＶ受像機１０に送信する。
【００５７】
ＨＤＭＩケーブル４０経由で完了通知Ｍを受信したＴＶ受像機１０のＣＥＣ制御部１９は、音声入力切り換え部１３を制御してＨＤＭＩケーブル４０経由で入力される音声信号Ｓを音声処理部３３に出力するように切り換えると共に、音声出力切り換え部１８を制御して音声処理部３３からの音声信号Ｓをヘッドフォン端子１５にも出力するように切り換え、図１０（ｂ）に示すように、再生装置２０からの音声信号Ｓをヘッドフォン端子１５に接続されたヘッドフォン７０からも音声出力させる。
【００５８】
なお、本実施の形態では、ＴＶ受像機１０もしくはアンプ装置３０の音声出力が行われていない方のヘッドフォン端子１５もしくはヘッドフォン端子３４にヘッドフォン７０が接続されると、音声出力の切り換え動作を機器間で行い、音声出力が行われているアンプ装置３０もしくはＴＶ受像機１０からの音声出力を停止させ、ヘッドフォン端子１５もしくはヘッドフォン端子３４にヘッドフォン７０から音声出力させるように構成したが、ユーザの設定によって、機器間での音声出力の切り換え動作を行うか否かを設定できるようにしても良い。
【００５９】
以上説明したように、本実施の形態によれば、ＴＶ受像機１０に、音声信号再生手段によって再生された音声信号もしくはアンプ装置３０から入力される音声信号を、スピーカ１７、ヘッドフォン端子１５もしくはアンプ装置３０に出力する音声入力切り換え部１３および音声出力切り換え部１８と、音声入力切り換え部１３および音声出力切り換え部１８の切り換えを制御するＣＥＣ制御部１９とを設けると共に、アンプ装置３０に、ＴＶ受像機１０からの音声信号もしくはＴＶ受像機１０とは異なる再生装置２０からの音声信号を、スピーカ３５、ヘッドフォン端子３４もしくはＴＶ受像機１０に出力する音声入力切り換え部３２および音声出力切り換え部３６と、音声入力切り換え部３２および音声出力切り換え部３６の切り換えを制御するＣＥＣ制御部３７とを設け、音声出力が行われていないＴＶ受像機１０もしくはアンプ装置３０にそれぞれ備えられたヘッドフォン端子１５もしくはヘッドフォン端子３４にヘッドフォン７０が接続されると、ＣＥＣ制御部１９およびＣＥＣ制御部３７は、音声入力切り換え部１３および音声出力切り換え部１８と、音声入力切り換え部３２および音声出力切り換え部３６とをそれぞれ制御することで、音声出力が行われているアンプ装置３０もしくはＴＶ受像機１０からの音声出力を停止させると共に、ヘッドフォン７０が接続されたヘッドフォン端子１５もしくはヘッドフォン端子３４に音声信号を出力させるように構成することにより、音声出力されていない音声出力機器（ＴＶ受像機１０、アンプ装置３０）のヘッドフォン端子１５、３４にヘッドフォン７０を接続すると、音声出力されている音声出力機器（ＴＶ受像機１０、アンプ装置３０）の音声出力が停止されると共に、音声出力されていない音声出力機器（ＴＶ受像機１０、アンプ装置３０）のヘッドフォン端子１５、３４から音声出力が行われるように制御されるため、音声出力の切り換え操作を行うことなく、音声出力されていない音声出力機器（ＴＶ受像機１０、アンプ装置３０）のヘッドフォン端子１５、３４にヘッドフォン７０を接続することで、接続したヘッドフォン７０から音声出力させることができるという効果を奏する。
【００６０】
さらに、本実施の形態によれば、再生装置２０からの音声信号をアンプ装置３０に備えられたスピーカ３５から音声出力している状態で、ＴＶ受像機１０に備えられたヘッドフォン端子１５にヘッドフォン７０が接続されると、ＣＥＣ制御部３７は、音声入力切り換え部３２および音声出力切り換え部３６を制御することで、再生装置２０からの音声信号をＴＶ受像機１０に出力させ、ＣＥＣ制御部１９は、音声入力切り換え部１３および音声出力切り換え部１８を制御することで、アンプ装置３０から入力される音声信号をヘッドフォン端子１５に出力させるように構成することにより、音声出力されていないＴＶ受像機１０に備えられたヘッドフォン端子１５にヘッドフォン７０を接続すると、音声出力の切り換え操作を行うことなく、音声出力されているアンプ装置３０の音声出力が停止されると共に、音声出力されていないＴＶ受像機１０に備えられたヘッドフォン端子１５に再生装置２０からの音声信号が出力され、ヘッドフォン端子１５に接続されたヘッドフォン７０から音声出力が行われるように制御されるという効果を奏する。
【００６１】
さらに、本実施の形態によれば、ＴＶ受像機１０の音声信号再生手段によって再生された音声信号をアンプ装置３０に備えられたスピーカ３５から音声出力している状態で、ＴＶ受像機１０に備えられたヘッドフォン端子１５にヘッドフォン７０が接続されると、ＣＥＣ制御部１９は、音声入力切り換え部１３および音声出力切り換え部１８を制御することで、音声信号再生手段によって再生された音声信号をヘッドフォン端子１５に出力させるように構成することにより、音声出力されていないＴＶ受像機１０に備えられたヘッドフォン端子１５にヘッドフォン７０を接続すると、音声出力の切り換え操作を行うことなく、音声出力されているアンプ装置３０の音声出力が停止されると共に、ＴＶ受像機１０に備えられたヘッドフォン端子１５に音声信号再生手段によって再生された音声信号が出力され、ヘッドフォン端子１５に接続されたヘッドフォン７０から音声出力が行われるように制御されるという効果を奏する。
【００６２】
さらに、本実施の形態によれば、再生装置２０からの音声信号をＴＶ受像機１０に備えられたスピーカ１７から音声出力している状態で、アンプ装置３０に備えられたヘッドフォン端子３４にヘッドフォン７０が接続されると、ＣＥＣ制御部３７は、音声入力切り換え部３２および音声出力切り換え部３６を制御することで、再生装置２０からの音声信号をヘッドフォン端子３４に出力させるように構成することにより、音声出力されていないアンプ装置３０に備えられたヘッドフォン端子３４にヘッドフォン７０を接続すると、音声出力の切り換え操作を行うことなく、音声出力されているＴＶ受像機１０の音声出力が停止されると共に、音声出力されていないアンプ装置３０に備えられたヘッドフォン端子３４に再生装置２０からの音声信号が出力され、ヘッドフォン端子３４に接続されたヘッドフォン７０から音声出力が行われるように制御されるという効果を奏する。
【００６３】
さらに、本実施の形態によれば、ＴＶ受像機１０の音声信号再生手段によって再生された音声信号をＴＶ受像機１０に備えられたスピーカ１７から音声出力している状態で、アンプ装置３０に備えられたヘッドフォン端子３４にヘッドフォン７０が接続されると、ＣＥＣ制御部１９は、音声入力切り換え部１３および音声出力切り換え部１８を制御することで、音声信号再生手段によって再生された音声信号をアンプ装置３０に出力させ、ＣＥＣ制御部３７は、音声入力切り換え部３２および音声出力切り換え部３６を制御することで、ＴＶ受像機１０からの音声信号をヘッドフォン端子３４に出力させるように構成することにより、音声出力されていないアンプ装置３０に備えられたヘッドフォン端子３４にヘッドフォン７０を接続すると、音声出力の切り換え操作を行うことなく、音声出力されているＴＶ受像機１０の音声出力が停止されると共に、アンプ装置３０に備えられたヘッドフォン端子３４にＴＶ受像機１０からの音声信号が出力され、ヘッドフォン端子３４に接続されたヘッドフォン７０から音声出力が行われるように制御されるという効果を奏する。
【００６４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００６５】
【図１】本発明に係る音声出力システムの実施の形態の構成を示すブロック図である。
【図２】図１に示す再生装置からの音声信号がアンプ装置から出力されるように設定されている状態で、ＴＶ受像機にヘッドフォンが挿抜された際の音声出力切り換え動作を説明するためのシーケンス図である。
【図３】図１に示す再生装置からの音声信号がアンプ装置から出力されるように設定されている状態で、ＴＶ受像機にヘッドフォンが挿抜された際の音声出力切り換え動作を説明するための説明図である。
【図４】図１に示すＴＶ受像機からの音声信号がアンプ装置から出力されるように設定されている状態で、ＴＶ受像機にヘッドフォンが挿抜された際の音声出力切り換え動作を説明するためのシーケンス図である。
【図５】図１に示すＴＶ受像機からの音声信号がアンプ装置から出力されるように設定されている状態で、ＴＶ受像機にヘッドフォンが挿抜された際の音声出力切り換え動作を説明するための説明図である。
【図６】図１に示す再生装置からの音声信号がＴＶ受像機から出力されるように設定されている状態で、アンプ装置にヘッドフォンが挿抜された際の音声出力切り換え動作を説明するためのシーケンス図である。
【図７】図１に示す再生装置からの音声信号がＴＶ受像機から出力されるように設定されている状態で、アンプ装置にヘッドフォンが挿抜された際の音声出力切り換え動作を説明するための説明図である。
【図８】図１に示すＴＶ受像機からの音声信号がＴＶ受像機から出力されるように設定されている状態で、アンプ装置にヘッドフォンが挿抜された際の音声出力切り換え動作を説明するためのシーケンス図である。
【図９】図１に示すＴＶ受像機からの音声信号がＴＶ受像機から出力されるように設定されている状態で、アンプ装置にヘッドフォンが挿抜された際の音声出力切り換え動作を説明するための説明図である。
【図１０】図１に示すＴＶ受像機に接続されたヘッドフォンから音声出力されている状態で、アンプ装置にヘッドフォンが接続された際の音声出力切り換え動作を説明するための説明図である。
【図１１】図１に示すアンプ装置に接続されたヘッドフォンから音声出力されている状態で、ＴＶ受像機にヘッドフォンが接続された際の音声出力切り換え動作を説明するための説明図である。
【符号の説明】
【００６６】
１０  ＴＶ受像機
１１  アンテナ
１２  チューナ
１３  音声入力切り換え部
１４  音声処理部
１５  ヘッドフォン端子
１６  光音声送信部
１７  スピーカ
１８  音声出力切り換え部
１９  ＣＥＣ制御部
２０  再生装置
３０  アンプ装置
３１  音声信号受信部
３２  音声入力切り換え部
３３  音声処理部
３４  ヘッドフォン端子
３５  スピーカ
３６  音声出力切り換え部
３７  ＣＥＣ制御部
４０  ＨＤＭＩケーブル
５０  光音声ケーブル
６０  ＨＤＭＩケーブル
７０  ヘッドフォン
【図１】
2009027594.tif 000003
【図２】
2009027594.tif 000004
【図３】
2009027594.tif 000005
【図４】
2009027594.tif 000006
【図５】
2009027594.tif 000007
【図６】
2009027594.tif 000008
【図７】
2009027594.tif 000009
【図８】
2009027594.tif 000010
【図９】
2009027594.tif 000011
【図１０】
2009027594.tif 000012
【図１１】
2009027594.tif 000013